(57)【要約】【課題】コンクリートポールの上端に荷重をかけることなく、コンクリートポールの上端近傍に警報機を設置することが可能な警報装置を提供する。【解決手段】ホース乾燥装置（警報装置）１００は、コンクリートポール１５０の上端１５０ａから間隔を隔てて配置されるアーム２に取り付けられる架台４を備える。そして、架台４には警報機５が取り付けられる。【選択図】図３
2014081533.tif 000002
【特許請求の範囲】
【請求項１】
コンクリートポールの上端から間隔を隔てて配置されるアームに取り付けられる架台を備え、
前記架台には、警報機が取り付けられることを特徴とする警報装置。
【請求項２】
請求項１に記載の警報装置において、
前記警報機は、前記コンクリートポールの上方に対応するように配置されることを特徴とする警報装置。
【請求項３】
請求項１または２に記載の警報装置において、
前記アームは、ワイヤーが架け渡される滑車を有し、
前記ワイヤーには、消防用のホースを吊り下げるホースハンガーが連結されていることを特徴とする警報装置。
【請求項４】
請求項３に記載の警報装置において、
前記アームは、前記ワイヤーが内部に配置される筒状のアーム本体を含むことを特徴とする警報装置。
【発明の詳細な説明】
【技術分野】
【０００１】
本発明は、災害の発生を報知するための警報装置に関する。
【背景技術】
【０００２】
従来、災害が発生した場合には、その災害の発生を地域住民に報知することが望まれる。そして、災害の発生を報知するための警報機（サイレン）は高所に設置することが好ましい。
【０００３】
そこで、警報機の設置場所の一例として、特許文献１および２に記載されたホース乾燥装置の支柱の上端が考えられる。
【先行技術文献】
【特許文献】
【０００４】
【特許文献１】特開２００５−１９８６７５号公報
【特許文献２】特開２０１１−２３５０６７号公報
【発明の概要】
【発明が解決しようとする課題】
【０００５】
しかしながら、支柱がコンクリートポールである場合には、その上端（末口）に荷重をかけることが好ましくない。これは、コンクリートポールのひび割れ試験の際に末口から２５ｃｍのところに荷重がかけられるため、末口に荷重をかけるとコンクリートポールの耐久性などを保証することが困難になるためである。
【０００６】
本発明は、上記の課題を解決するためになされたものであり、本発明の目的は、コンクリートポールの上端に荷重をかけることなく、コンクリートポールの上端近傍に警報機を設置することが可能な警報装置を提供することである。
【課題を解決するための手段】
【０００７】
上記した目的を達成するために、本発明による警報装置は、コンクリートポールの上端から間隔を隔てて配置されるアームに取り付けられる架台を備える。そして、架台には、警報機が取り付けられる。
【０００８】
このように、アームに架台を設けることによって、その架台に警報機を取り付けることができるので、コンクリートポールの上端に荷重をかけることなく、コンクリートポールの上端近傍に警報機を設置することができる。
【０００９】
上記警報装置において、好ましくは、警報機は、コンクリートポールの上方に対応するように配置される。
【００１０】
このように構成すれば、アームに加わる荷重のバランスが悪くなるのを抑制することができる。
【００１１】
上記警報装置において、アームは、ワイヤーが架け渡される滑車を有し、ワイヤーには、消防用のホースを吊り下げるホースハンガーが連結されていてもよい。
【００１２】
この場合において、アームは、ワイヤーが内部に配置される筒状のアーム本体を含んでいてもよい。
【００１３】
このように構成すれば、ワイヤーが外部に露出されるのを抑制することができるので、寒冷地などにおいてワイヤーが凍結するのを抑制することができる。
【発明の効果】
【００１４】
本発明の警報装置によれば、コンクリートポールの上端に荷重をかけることなく、コンクリートポールの上端近傍に警報機を設置することができる。
【図面の簡単な説明】
【００１５】
【図１】本発明の一実施形態によるホース乾燥装置の全体構成を示した正面図である。
【図２】図１のホース乾燥装置のアーム近傍を拡大して示した正面図である。
【図３】図１のホース乾燥装置のアーム近傍を拡大して示した斜視図である。
【発明を実施するための形態】
【００１６】
以下、本発明の一実施形態について図面を参照して説明する。なお、以下では、本発明による警報装置をホース乾燥装置に適用した場合について説明する。
【００１７】
−構成−
まず、図１〜図３を参照して、本実施形態によるホース乾燥装置１００の構成について説明する。なお、図１および図３では、ホース乾燥装置１００のホースハンガー１が上昇された状態を示している。
【００１８】
ホース乾燥装置１００は、洗浄された消防用のホース（図示省略）を吊り下げることにより、そのホースを天日干しによって乾燥させるためのものであって、コンクリートポール１５０に設置される。このホース乾燥装置１００は、図１に示すように、消防用のホースを吊り下げるホースハンガー１と、ホースハンガー１を昇降させるためのアーム２およびウインチ３と、アーム２に取り付けられる架台４と、架台４に取り付けられる警報機（サイレン）５とを備えている。なお、ホース乾燥装置１００は、たとえば、各地の消防団の詰所などに設置される。
【００１９】
［ホースハンガー］
ホースハンガー１は、図３に示すように、円筒状に形成されたベース部１１と、ベース部１１の外周面に設けられたハンガー部１２と、ベース部１１の上端に設けられた接続用金具１３とを含んでいる。
【００２０】
ベース部１１の下端には、下方に向かって延びるように補助ワイヤー５１が設けられている。補助ワイヤー５１は、ホースハンガー１を下降させる際に補助するために設けられている。なお、補助ワイヤー５１には、吊り下げられるホースの端部が挿入されることにより、その端部が移動するのを規制するための環状部材５１ａ（図１参照）が設けられている。
【００２１】
ハンガー部１２は、たとえば６個設けられており、ベース部１１の周方向に６０度間隔で配置されている。このハンガー部１２は、コ字状に折り曲げられた棒状に形成され、その一端がベース部１１に取り付けられている。具体的には、ハンガー部１２は、ベース部１１の外周面から外方（径方向）に延びるように形成されるとともに、上方に立ち上げられ、ベース部１１側へと折り返されている。また、ハンガー部１２にはフランジを有する筒状部材１２ａが回転可能に装着されており、筒状部材１２ａにホースが二つ折りの状態で吊り下げられる。このため、二つ折りの状態で吊り下げられるホースの両側の長さ（ホースにおける筒状部材１２ａに引っ掛けられる箇所）を円滑に調整することが可能である。
【００２２】
接続用金具１３は、Ｕ字状に形成されている。この接続用金具１３には、ウインチ３（図１参照）によって巻き取りおよび繰り出されるワイヤー５０が連結されている。なお、接続用金具１３の上方には、ホースハンガー１がアーム２に衝突するのを抑制するためのスプリング５２が配置されている。
【００２３】
［アーム］
アーム２は、図２に示すように、筒状に形成されたアーム本体２１と、アーム本体２１の両端に配置されたカバー部材２２と、カバー部材２２に設けられた滑車２３とを含んでいる。
【００２４】
アーム本体２１は、横方向（コンクリートポール１５０の延びる方向に対して直交する方向）に延びるように形成されるとともに、断面視矩形状に形成されており、内部にワイヤー５０が配置されている。
【００２５】
カバー部材２２には下方に開口部が形成されており、その開口部を介してアーム本体２１内のワイヤー５０が下方に引き出されている。なお、カバー部材２２の一方から引き出されるワイヤー５０はウインチ３（図１参照）に連結され、カバー部材２２の他方から引き出されるワイヤー５０はホースハンガー１（図１参照）に連結されている。また、カバー部材２２には、滑車２３が回動可能に取り付けられる回動軸２２ａと、滑車２３の回動範囲を規制するための回動規制部２２ｂとが設けられている。
【００２６】
滑車２３には、ワイヤー５０が架け渡されている。この滑車２３は、ウインチ３によりワイヤー５０が巻き取られることによってホースハンガー１が上昇された場合に、内側に回動して回動規制部２２ｂと当接するように構成されている。
【００２７】
ここで、アーム２は、アーム取付部材６を介してコンクリートポール１５０に取り付けられている。そして、アーム取付部材６およびアーム２は、コンクリートポール１５０の上端（末口）１５０ａから間隔（たとえば、２５ｃｍ以上）を隔てて配置されている。
【００２８】
アーム取付部材６は、図３に示すように、一対の板状部材６１ａおよび６１ｂと、板状部材６１ａに対してアーム２を固定するための固定部材６２とを含んでいる。一対の板状部材６１ａおよび６１ｂは、バンド（図示省略）やボルトおよびナットなどによりコンクリートポール１５０を挟み込むように取り付けられている。板状部材６１ａには、アーム２のアーム本体２１が嵌合される嵌合溝６１１ａが横方向に延びるように形成されている。固定部材６２は、ボルトおよびナットにより板状部材６１ａに対して取り付けられており、嵌合溝６１１ａに嵌合されるアーム本体２１を板状部材６１ａとの間で挟持するように設けられている。なお、板状部材６１ｂは板状部材６１ａと同様に形成されており、板状部材６１ｂにはアーム本体２１に代えて継手部材６３が取り付けられている。
【００２９】
［ウインチ］
ウインチ３は、図１に示すように、コンクリートポール１５０の下端近傍に配置されている。このウインチ３は、ワイヤー５０を巻き取るドラム（図示省略）と、ドラムを回転させるためのハンドル３１とを含んでいる。また、ウインチ３は、ワイヤー５０を巻き取ることによりホースハンガー１を上昇させ、ワイヤー５０を繰り出すことによりホースハンガー１を下降させるように構成されている。
【００３０】
［架台］
架台４は、図３に示すように、アーム２のアーム本体２１に取り付けられた支持部材４１ａと、継手部材６３に取り付けられた支持部材４１ｂと、支持部材４１ａおよび４１ｂの間に架けられた板状部材４２とを含んでいる。
【００３１】
支持部材４１ａは、コ字状に形成された山形鋼（アングル鋼）であり、開放端側がアーム本体２１に取り付けられている。なお、アーム本体２１に対する支持部材４１ａの取り付けは、たとえば、コ字状に折り曲げられた棒状の締結金具の両端にナットが取り付けられることにより行われる。また、支持部材４１ｂは、継手部材６３に取り付けられ、その他の構成が支持部材４１ａと同様である。そして、支持部材４１ａおよび４１ｂは、コンクリートポール１５０を挟んで対向するように配置されるとともに、正面から見てコンクリートポール１５０の上端１５０ａの周囲を取り囲むように配置されている。
【００３２】
板状部材４２は、コンクリートポール１５０の上方に配置されている。この板状部材４２は、たとえば、ボルトおよびナット（図示省略）により支持部材４１ａおよび４１ｂに取り付けられている。
【００３３】
［警報機］
警報機（サイレン）５は、架台４の板状部材４２に取り付けられており、コンクリートポール１５０の上方に対応するように配置されている。すなわち、警報機５は、コンクリートポール１５０の延長線上（コンクリートポール１５０の軸方向に対応する位置）に配置されている。この警報機５は、災害が発生した場合に、警告音を発生することによりその災害の発生を地域住民に報知するために設けられている。なお、警報機５は、災害が発生した場合に、警告灯を点灯するように構成されていてもよい。
【００３４】
−ホースの乾燥方法−
次に、本実施形態によるホース乾燥装置１００を用いたホースの乾燥方法について説明する。
【００３５】
まず、下降されたホースハンガー１のハンガー部１２（筒状部材１２ａ）に対して洗浄されたホースが二つ折りの状態で取り付けられる。そして、ウインチ３によりワイヤー５０が巻き取られることによって、ホースハンガー１がコンクリートポール１５０に沿って上昇される。その後、ホースハンガー１によって吊り下げられるホースの両端部が環状部材５１ａに挿入されることにより、吊り下げられるホースの端部が移動することが抑制される。
【００３６】
このように、ホースハンガー１により吊り下げられた状態で天日干しされることによって洗浄されたホースが乾燥される。
【００３７】
そして、ホースが乾燥された後に、ウインチ３によりワイヤー５０を繰り出すことによって、ホースハンガー１がコンクリートポール１５０に沿って下降される。なお、このとき、補助ワイヤー５１を引っ張ることによりホースハンガー１の下降を補助するようにしてもよい。その後、下降されたホースハンガー１から乾燥されたホースが取り外される。
【００３８】
−効果−
本実施形態では、上記のように、アーム２に架台４を設けることによって、その架台４に警報機５を取り付けることができるので、コンクリートポール１５０の上端１５０ａに荷重をかけることなく、コンクリートポール１５０の上端１５０ａ近傍に警報機５を設置することができる。そして、コンクリートポール１５０の上端１５０ａ近傍に警報機５を設置することにより、警報機５を高所に配置することができるので、警告音を広く伝達することができる。
【００３９】
また、本実施形態では、コンクリートポール１５０の延長線上に警報機５を配置することによって、アーム２および継手部材６３（アーム取付部材６）に加わる荷重のバランスが悪くなるのを抑制することができる。
【００４０】
また、本実施形態では、アーム本体２１を筒状に形成し、アーム本体２１の内部にワイヤー５０を配置することによって、ワイヤー５０が外部に露出されるのを抑制することができるので、寒冷地などにおいてワイヤー５０が凍結するのを抑制することができる。これにより、ホースハンガー１の昇降を円滑に行うことができる。
【００４１】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００４２】
たとえば、本実施形態では、１本のコンクリートポール１５０に対して１台のホース乾燥装置１００が設置される例を示したが、これに限らず、１本のコンクリートポール１５０に対して２台のホース乾燥装置１００が設置されるようにしてもよい。この場合には、アーム取付部材６の板状部材６１ｂに、継手部材６３に代えてアーム２を取り付けるようにすればよい。
【００４３】
また、本実施形態において、架台４の支持部材４１ａ（４１ｂ）と板状部材４２とを締結するためのボルトが挿入されるボルト挿入孔（図示省略）を長孔状に形成してもよい。このように構成すれば、コンクリートポール１５０の直径が異なることにより、支持部材４１ａおよび４１ｂの間の距離が異なる場合であっても、ボルトおよびナットを用いて支持部材４１ａ（４１ｂ）と板状部材４２とを締結することができる。このため、コンクリートポール１５０の直径が異なる場合であっても、アーム２に対して架台４を適切に設置することができる。
【００４４】
また、本実施形態では、ウインチ３が手動である例を示したが、これに限らず、ウインチが電動であってもよい。
【００４５】
また、本実施形態では、ホース乾燥装置１００のアーム２に架台４を設置するとともに、その架台４に警報機５を設ける例を示したが、これに限らず、配電用のコンクリートポールのアーム（図示省略）に架台を設置するとともに、その架台に警報機を設けるようにしてもよい。
【符号の説明】
【００４６】
１        ホースハンガー
２        アーム
４        架台
５        警報機
２１      アーム本体
２３      滑車
５０      ワイヤー
１００    ホース乾燥装置（警報装置）
１５０    コンクリートポール
１５０ａ  上端
【図１】
2014081533.tif 000003
【図２】
2014081533.tif 000004
【図３】
2014081533.tif 000005